(57)【特許請求の範囲】
【請求項１】
光源を備え、かつ色温度情報に基づいて色温度を変化させるカラー表示装置に用いられ、上記光源を制御する光源制御装置であって、
上記色温度情報と、該色温度情報に対応付けられ、光源から出射される光の輝度を補正するための輝度補正値とを取得する取得手段と、
上記輝度補正値に基づいて光源から出射される光の輝度を調整する輝度調整手段とを備えており、
上記輝度調整手段は、変化後の色温度に対応付けられた輝度を示す値に対して、該変化後の色温度に対応付けられた輝度補正値を重み付けするものであり、
上記輝度補正値は、基準となる色温度に対応付けられた輝度と、変化後の色温度に対応付けられた輝度との比に基づいて算出される係数であることを特徴とする光源制御装置。
【請求項２】
光源を備え、かつ色温度情報に基づいて色温度を変化させるカラー表示装置に用いられ、上記光源を制御する光源制御装置であって、
上記色温度情報を取得する取得手段と、
上記色温度情報に基づいて、光源から出射される光の輝度を補正するための輝度補正値を生成する輝度補正値生成手段と、
上記輝度補正値に基づいて光源から出射される光の輝度を調整する輝度調整手段とを備えており、
上記輝度調整手段は、変化後の色温度に対応付けられた輝度を示す値に対して、該変化後の色温度に対応付けられた輝度補正値を重み付けするものであり、
上記輝度補正値は、基準となる色温度に対応付けられた輝度と、変化後の色温度に対応付けられた輝度との比に基づいて算出される係数であることを特徴とする光源制御装置。
【請求項３】
色温度情報に基づいて色温度を変化させるカラー表示装置であって、
光源と、
上記光源を制御する光源制御手段と、
上記色温度情報、及び、該色温度情報に対応付けられ、光源から出射された光の輝度を補正するための輝度補正値を記憶した記憶装置とを備え、
上記光源制御手段は、上記記憶装置から、変化後の色温度に対応付けられた輝度補正値を取得する取得手段と、
上記取得手段が取得した輝度補正値に基づいて、上記光源から出射される光の輝度を調整する輝度調整手段とを備えており、
上記輝度調整手段は、変化後の色温度に対応付けられた輝度を示す値に対して、該変化後の色温度に対応付けられた輝度補正値を重み付けするものであり、
上記輝度補正値は、基準となる色温度に対応付けられた輝度と、変化後の色温度に対応付けられた輝度との比に基づいて算出される係数であることを特徴とするカラー表示装置。
【請求項４】
色温度情報に基づいて色温度を変化させるカラー表示装置であって、
光源と、
上記光源を制御する光源制御手段と、
上記色温度情報を記憶した記憶装置とを備え、
上記光源制御手段は、上記記憶装置から、変化後の色温度に対応付けられた色温度情報を取得する取得手段と、
上記取得手段が取得した色温度情報に基づいて、光源から出射された光の輝度を補正するための輝度補正値を生成する輝度補正値生成手段と、
上記輝度補正値に基づいて、光源から出射される光の輝度を調整する輝度調整手段とを備えており、
上記輝度調整手段は、変化後の色温度に対応付けられた輝度を示す値に対して、該変化後の色温度に対応付けられた輝度補正値を重み付けするものであり、
上記輝度補正値は、基準となる色温度に対応付けられた輝度と、変化後の色温度に対応付けられた輝度との比に基づいて算出される係数であることを特徴とするカラー表示装置。
【請求項５】
上記取得手段が取得した、変化後の色温度に対応付けられた色温度情報に基づいて、表示する色温度を変化させる色温度変化手段をさらに備えていることを特徴とする請求項３または４に記載のカラー表示装置。
【請求項６】
光源から光を出射すると共に、色温度情報に基づいて色温度を変化させるカラー表示方法であって、
変化後の色温度に対応付けられた色温度情報と、該色温度情報に対応付けられ、光源から出射された光の輝度を補正するための輝度補正値とを取得し、
上記輝度補正値に基づいて、光源から出射される光の輝度を調整することを包含し、
上記光の輝度を調整することでは、変化後の色温度に対応付けられた輝度を示す値に対して、該変化後の色温度に対応付けられた輝度補正値を重み付けしており、
上記輝度補正値は、基準となる色温度に対応付けられた輝度と、変化後の色温度に対応付けられた輝度との比に基づいて算出される係数であることを特徴とするカラー表示方法。
【請求項７】
光源から光を出射すると共に、色温度情報に基づいて色温度を変化させるカラー表示方法であって、
変化後の色温度に対応付けられた色温度情報を取得し、
上記取得した色温度情報に基づいて、光源から出射された光の輝度を補正するための輝度補正値を生成し、
上記輝度補正値に基づいて、光源から出射される光の輝度を調整することを包含し、
上記光の輝度を調整することでは、変化後の色温度に対応付けられた輝度を示す値に対して、該変化後の色温度に対応付けられた輝度補正値を重み付けしており、
上記輝度補正値は、基準となる色温度に対応付けられた輝度と、変化後の色温度に対応付けられた輝度との比に基づいて算出される係数であることを特徴とするカラー表示方法。
【発明の詳細な説明】
【技術分野】
【０００１】
本発明は、色温度の変化に応じて光源を制御する光源制御装置、カラー表示装置及びカラー表示方法に関するものである。
【背景技術】
【０００２】
従来、色温度を調整する方法としては、ＲＧＢのカラーバランスを崩して色温度を変える方法がある。この方法は、例えばＮＴＳＣ表色系（色温度６５００Ｋ）にて一般にＲＧＢ表色系とＸＹＺ座標系とにおいて以下の式（１）に示す変換が成り立つ場合に、６５００Ｋの白（ｘ，ｙ）＝（０．３１０１，０．３１６２）を表示するときのＲＧＢの割合は、式（１）及び式（２）からほぼＲ：Ｇ：Ｂ＝１：１：１と求まる。
【０００３】
【数１】
0004732035.tif 000002
【０００４】
ｚ＝１−ｘ−ｙ    ……（２）
この表色系において９３００Ｋの白（ｘ，ｙ）＝（０．２８３，０．２９７）を表示する場合には、同様に式（１）からＲ：Ｇ：Ｂ＝０．７２９：０．８４５：１が求まる。すなわち、ＲＧＢの割合を上記割合とすることによって、９３００Ｋの色温度を得ることが可能になる。このように、ＲＧＢの割合を変化させることにより、種々の色温度を得ることができる。
【０００５】
例えば、液晶表示装置にて色温度を変換させる場合には、予め、変換後の色温度に対応するＲＧＢの比（係数）が求められており、選択された色温度に応じた係数を用いて色温度を変換させている。ただし、色温度を変換させることに伴い、輝度も変化してしまうことがある。これに対して、安定した輝度を保つようにしたバックライト制御装置が開示されている（例えば、特許文献１参照）。
【特許文献１】特開２０００−２５０００８号公報（平成１２年(2000)９月１４日公開）
【発明の開示】
【発明が解決しようとする課題】
【０００６】
しかしながら、上記特許文献１のバックライト制御装置は、バックライトから照射される光の輝度を検出する検出手段を備えており、この検出手段にて輝度を実測している。そして、検出手段にて実測された輝度に基づいて、バックライトから照射される光の輝度が所定の輝度となるように制御している。
【０００７】
すなわち、特許文献１の構成では、輝度を検出するための検出手段を設ける必要があり、装置が煩雑・大型化になると共にコストが高くなるという問題点を有している。また、特許文献１のバックライト制御装置は、バックライト輝度をユーザが可変できるようにした場合や、周囲温度や、バックライトに用いられているランプの経時変化による輝度のバラツキを補正するものである。従って、色温度を制御することに伴って変化する輝度を補正するものではない。
【０００８】
本発明は、上記の問題点に鑑みてなされたものであり、その目的は、色温度を変化させた場合であっても、輝度を検出する手段等を設けることなく、光源から出射される光の輝度を調整することが可能な光源制御装置、カラー表示装置及びカラー表示方法を実現することにある。
【課題を解決するための手段】
【０００９】
本発明に係る光源制御装置は、上記課題を解決するために、光源を備え、かつ色温度情報に基づいて色温度を変化させるカラー表示装置に用いられ、上記光源を制御する光源制御装置であって、上記色温度情報と、該色温度情報に対応付けられ、光源から出射される光の輝度を補正するための輝度補正値とを取得する取得手段と、上記輝度補正値に基づいて光源から出射される光の輝度を調整する輝度調整手段とを備えていることを特徴としている。
【００１０】
上記の構成によれば、カラー表示装置は、色温度情報に基づいて、表示する色温度を変化させるものであり、光源制御装置は、このカラー表示装置が備える光源を制御するものである。なお、色温度情報とは、色温度を表現するための情報であり、複数の色成分の比に関する情報である。また、複数の色成分とは、例えばＲＧＢを挙げることができる。
【００１１】
また、取得手段を備えていることにより、色温度に対応付けられた色温度情報と、この色温度情報に対応付けられた輝度補正値とを取得することができる。輝度補正値とは、光源から出射される光の輝度を補正するためのデータである。また、輝度調整手段を備えていることにより、取得した輝度補正値に基づいて、上記光源から出射される光の輝度を調整することができる。
【００１２】
すなわち、色温度を変化させる場合に、変化後の色温度の色温度情報と、この色温度情報に対応付けられた輝度補正値とを取得することができ、この輝度補正値に基づいて輝度の調整を行っているため、変化後の色温度に基づいた調整を行うことができる。
【００１３】
具体的には、カラー表示装置が色温度を変化させた場合であっても、変化後の色温度に基づいて光源の調整を行っており、色温度の変化の前後で画面の輝度が変化してしまうことを改善できる。特に、色温度の変化に伴う輝度低下を改善することができる。
【００１４】
本発明に係る光源制御装置は、上記課題を解決するために、光源を備え、かつ色温度情報に基づいて色温度を変化させるカラー表示装置に用いられ、上記光源を制御する光源制御装置であって、上記色温度情報を取得する取得手段と、上記色温度情報に基づいて、光源から出射される光の輝度を補正するための輝度補正値を生成する輝度補正値生成手段と、上記輝度補正値に基づいて光源から出射される光の輝度を調整する輝度調節手段とを備えていることを特徴としている。
【００１５】
上記の構成によれば、カラー表示装置は、色温度情報に基づいて、表示する色温度を変化させるものであり、光源制御装置は、このカラー表示装置が備える光源を制御するものである。
【００１６】
また、取得手段を備えていることにより、色温度に対応付けられた色温度情報を取得することができる。さらに、輝度補正値生成手段を備えていることにより、取得した色温度情報に基づいて、上記光源から出射される光の輝度を補正するための輝度補正値を生成することができる。
【００１７】
すなわち、色温度を変化させる場合に、変化後の色温度の色温度情報のみを取得するだけで輝度補正値を生成することができ、この輝度補正値に基づいて輝度の調整を行っているため、変化後の色温度に基づいた調整を行うことができる。
【００１８】
具体的には、カラー表示装置が色温度を変化させた場合であっても、変化後の色温度に基づいて光源の調整を行っており、色温度の変化の前後で画面の輝度が変化してしまうことを改善できる。特に、色温度の変化に伴う輝度低下を改善することができる。
【００１９】
本発明に係る光源制御装置では、上記輝度調整手段は、変化後の色温度に対応付けられた輝度を示す値に対して、該変化後の色温度に対応付けられた輝度補正値を重み付けすることが好ましい。上記の構成によれば、色温度を変化させた場合に、光源から出射される光の輝度を、変化後の色温度に対応付けられた輝度ではなく、輝度補正値が重み付けされた輝度となるように光源を調整することができる。すなわち、変化後の色温度に基づいて光源の調整を行うことが可能となり、色温度の変化に伴う輝度低下を改善することができる。
【００２０】
本発明に係る光源制御装置では、上記輝度補正値は、基準となる色温度に対応付けられた輝度と、変化後の色温度に対応付けられた輝度とに基づいて算出される係数であることが好ましい。上記の構成によれば、輝度補正値を、色温度に対応付けられた一意的に決まる係数とすることが可能となる。基準となる色温度とは、例えば色温度情報や輝度補正値を算出するための色温度である。この場合、色温度情報や輝度補正値はこの基準となる色温度に対応付けられた色温度情報や輝度に基づいて算出することができる。従って、変化後の色温度に基づいて光源の調整を行うことが可能となる。
【００２１】
本発明に係るカラー表示装置は、上記課題を解決するために、色温度情報に基づいて色温度を変化させるカラー表示装置であって、光源と、上記光源を制御する光源制御手段と、上記色温度情報、及び、該色温度情報に対応付けられ、光源から出射された光の輝度を補正するための輝度補正値を記憶した記憶装置とを備え、上記光源制御手段は、上記記憶装置から、変化後の色温度に対応付けられた輝度補正値を取得する取得手段と、上記取得手段が取得した輝度補正値に基づいて、上記光源から出射される光の輝度を調整する輝度調整手段とを備えていることを特徴としている。
【００２２】
上記の構成によれば、カラー表示装置は、色温度情報に基づいて、表示する色温度を変化させるものである。また、記憶装置には、色温度情報と、この色温度情報に対応付けられた輝度補正値とが記憶されている。
【００２３】
なお、色温度情報とは、色温度を表現するための情報であり、複数の色成分の比に関する情報である。また、輝度補正値とは、光源から出射される光の輝度を補正するためのデータである。また、複数の色成分とは、例えばＲＧＢを挙げることができる。
【００２４】
上記光源制御手段は、取得手段及び輝度調整手段を備えている。この取得手段が、記憶装置から色温度情報及びこの色温度情報に対応付けられた輝度補正値を取得し、輝度調整手段が取得した輝度補正値に基づいて光源から出射される光の輝度を調整する。
【００２５】
このように、色温度を変化させる場合に、予め記憶装置に格納されている、各色温度に対応付けられた色温度情報と、該色温度情報に対応付けられた輝度補正値とを取得し、この輝度補正値に基づいて輝度の調整を行っているため、変化後の色温度に基づいて、光源から出射される光の輝度を調整することができる。
【００２６】
従って、色温度を変化させた場合であっても、変化後の色温度に基づいて光源の輝度の調整を行っており、色温度の変化の前後で画面の輝度が変化してしまうことを改善できる。特に、色温度の変化に伴う輝度低下を改善することができる。
【００２７】
また、従来の構成のように、輝度検出手段といった輝度を検出する手段を備える必要がなく、色温度情報に基づいて予め算出しておいた輝度補正値を用いて光源の制御を行っているので、色温度の変化及び光源から出射される光の輝度の調整の双方を低コストで実現することができる。
【００２８】
本発明に係るカラー表示装置は、上記課題を解決するために、色温度情報に基づいて色温度を変化させるカラー表示装置であって、光源と、上記光源を制御する光源制御手段と、上記色温度情報を記憶した記憶装置とを備え、上記光源制御手段は、上記記憶装置から、変化後の色温度に対応付けられた色温度情報を取得する取得手段と、上記取得手段が取得した色温度情報に基づいて、光源から出射された光の輝度を補正するための輝度補正値を生成する輝度補正値生成手段と、上記輝度補正値に基づいて、光源から出射される光の輝度を調整する輝度調整手段とを備えていることを特徴としている。
【００２９】
上記の構成によれば、カラー表示装置は、色温度情報に基づいて、表示する色温度を変化させるものである。また、記憶装置には、色温度情報が記憶されている。なお、色温度情報とは、色温度を表現するための情報であり、複数の色成分の比に関する情報である。また、複数の色成分とは、例えばＲＧＢを挙げることができる。
【００３０】
上記光源制御手段は、取得手段と、輝度補正値生成手段と輝度調整手段とを備えている。この取得手段が、記憶装置から色温度情報を取得し、輝度補正値生成手段が、この色温度情報に基づいて輝度補正値を生成する。そして、この輝度補正値に基づいて光源から出射される光の輝度を調整する。なお、輝度補正値とは、光源から出射される光の輝度を補正するためのデータである。
【００３１】
このように、色温度を変化させる場合に、予め記憶装置に格納されている、各色温度に対応付けられた色温度情報を取得し、この色温度情報を用いて生成された輝度補正値に基づいて輝度の調整を行っているため、変化後の色温度に基づいて、光源から出射される光の輝度を調整することができる。
【００３２】
従って、色温度を変化させた場合であっても、変化後の色温度に基づいて光源の輝度の調整を行っており、色温度の変化の前後で画面の輝度が変化してしまうことを改善できる。特に、色温度の変化に伴う輝度低下を改善することができる。
【００３３】
また、色温度情報に基づいて色温度の変化及び輝度の調整を行うことが可能となりこれら各制御を容易に行うことができる。また、色温度情報から適切な輝度を予測して輝度補正値を作成しておき、色温度変更時の光源の制御を低コストで実現することができる。
【００３４】
本発明に係るカラー表示装置では、上記取得手段が取得した、変化後の色温度に対応付けられた色温度情報に基づいて、表示する色温度を変化させる色温度変化手段をさらに備えていることが好ましい。
【００３５】
上記の構成によれば、変化後の色温度に対応付けられた色温度情報に基づいているため、表示する色温度を容易に変化させることができる。
【００３６】
本発明に係るカラー表示装置では、上記輝度調整手段は、変化後の色温度に対応付けられた輝度を示す値に対して、該変化後の色温度に対応付けられた輝度補正値を重み付けすることが好ましい。上記の構成によれば、色温度を変化させた場合に、光源から出射される光の輝度を、変化後の色温度に対応付けられた輝度ではなく、輝度補正値が重み付けされた輝度となるように光源を調整することができる。すなわち、変化後の色温度に基づいて光源の調整を行うことが可能となり、色温度の変化に伴う輝度低下を改善することができる。
【００３７】
本発明に係るカラー表示装置では、上記輝度補正値は、基準となる色温度に対応付けられた輝度と、変化後の色温度に対応付けられた輝度とに基づいて算出される係数であることが好ましい。上記の構成によれば、輝度補正値を、色温度に対応付けられた一意的に決まる係数とすることが可能となる。従って、変化後の色温度に基づいて光源の調整を行うことが可能となる。
【００３８】
本発明に係るカラー表示方法は、上記課題を解決するために、光源から光を出射すると共に、色温度情報に基づいて色温度を変化させるカラー表示方法であって、変化後の色温度に対応付けられた色温度情報と、該色温度情報に対応付けられ、光源から出射された光の輝度を補正するための輝度補正値とを取得し、上記輝度補正値に基づいて、光源から出射される光の輝度を調整することを特徴としている。
【００３９】
上記の構成によれば、カラー表示方法は、光源から光を出射すると共に、色温度情報に基づいて、色温度を変化させるものである。また、変化後の色温度に対応付けられた色温度情報と、この色温度情報に対応付けられた輝度補正値とを取得し、この輝度補正値に基づいて光源から出射される光の輝度を調整するものである。
【００４０】
なお、色温度情報とは、色温度を表現するための情報であり、複数の色成分の比に関する情報である。また、輝度補正値とは、光源から出射される光の輝度を補正するためのデータである。また、複数の色成分とは、例えばＲＧＢを挙げることができる。
【００４１】
すなわち、色温度情報と輝度補正値とを取得して、この輝度補正値に基づいて光源から出射される光の輝度を調整するようになっている。従って、色温度を変化させた場合であっても、変化後の色温度に基づいて光源の輝度の調整を行っており、色温度の変化の前後で画面の輝度が変化してしまうことを改善できる。特に、色温度の変化に伴う輝度低下を改善することができる。
【００４２】
本発明に係るカラー表示方法は、上記課題を解決するために、光源から光を出射すると共に、色温度情報に基づいて色温度を変化させるカラー表示方法であって、変化後の色温度に対応付けられた色温度情報を取得し、上記取得した色温度情報に基づいて、光源から出射された光の輝度を補正するための輝度補正値を生成し、上記輝度補正値に基づいて、光源から出射される光の輝度を調整することを特徴としている。
【００４３】
上記の構成によれば、カラー表示方法は、光源から光を出射すると共に、色温度情報に基づいて、色温度を変化させるものである。また、変化後の色温度に対応付けられた色温度情報を取得し、この色温度情報に対応付けられた輝度補正値を生成し、この輝度補正値に基づいて光源から出射される光の輝度を調整するものである。
【００４４】
なお、色温度情報とは、色温度を表現するための情報であり、複数の色成分の比に関する情報である。また、輝度補正値とは、光源から出射される光の輝度を補正するためのデータである。また、複数の色成分とは、例えばＲＧＢを挙げることができる。
【００４５】
また、上記の構成によれば、取得した色温度情報に基づいて輝度補正値を生成して、この輝度補正値に基づいて光源から出射される光の輝度を調整するようになっているので、色温度の変化及び光源の輝度の調整を行うことが可能となりこれら各制御を容易に行うことができる。
【００４６】
すなわち、色温度情報を取得して、この色温度情報を用いて生成された輝度補正値に基づいて光源から出射される光の輝度を調整するようになっている。従って、色温度を変化させた場合であっても、変化後の色温度に基づいて光源の輝度の調整を行っており、色温度の変化の前後で画面の輝度が変化してしまうことを改善できる。特に、色温度の変化に伴う輝度低下を改善することができる。
【００４７】
本発明に係るカラー表示方法では、上記変化後の色温度に対応付けられた輝度を示す値に対して、該変化後の色温度に対応付けられた輝度補正値を重み付けすることが好ましい。上記の構成によれば、色温度を変化させた場合に、光源から出射される光の輝度を、変化後の色温度に対応付けられた輝度ではなく、輝度補正値が重み付けされた輝度となるように光源を調整することができる。すなわち、変化後の色温度に基づいて光源の調整を行うことが可能となり、色温度の変化に伴う輝度低下を改善することができる。
【発明の効果】
【００４８】
本発明に係る光源制御装置は、以上のように、光源を備え、かつ色温度情報に基づいて色温度を変化させるカラー表示装置に用いられ、上記光源を制御する光源制御装置であって、上記色温度情報と、該色温度情報に対応付けられ、光源から出射される光の輝度を補正するための輝度補正値とを取得する取得手段と、上記輝度補正値に基づいて光源から出射される光の輝度を調整する輝度調整手段とを備えているので、色温度を変化させる場合に、変化後の色温度に基づいた輝度の調整を行うことができるという効果を奏する。
【００４９】
また、本発明に係るカラー表示装置は、以上のように、色温度情報に基づいて色温度を変化させるカラー表示装置であって、光源と、上記光源を制御する光源制御手段と、上記色温度情報、及び、該色温度情報に対応付けられ、光源から出射された光の輝度を補正するための輝度補正値を記憶した記憶装置とを備え、上記光源制御手段は、上記記憶装置から、変化後の色温度に対応付けられた輝度補正値を取得する取得手段と、上記取得手段が取得した輝度補正値に基づいて、上記光源から出射される光の輝度を調整する輝度調整手段とを備えているので、色温度の変化の前後で画面の輝度が変化してしまうことを改善できるという効果を奏する。
【００５０】
また、本発明に係るカラー表示方法は、以上のように、光源から光を出射すると共に、色温度情報に基づいて色温度を変化させるカラー表示方法であって、変化後の色温度に対応付けられた色温度情報と、該色温度情報に対応付けられ、光源から出射された光の輝度を補正するための輝度補正値とを取得し、上記輝度補正値に基づいて、光源から出射される光の輝度を調整するので、色温度の変化の前後で画面の輝度が変化してしまうことを改善できるという効果を奏する。
【発明を実施するための最良の形態】
【００５１】
〔実施の形態１〕
本発明の第１の実施の形態について図１ないし図４に基づいて説明すると以下の通りである。
【００５２】
本実施の形態では、液晶表示装置を例に挙げて説明する。ただし、本発明はこれに限定されるものではなく、ＣＲＴやＰＤＰ等の他のカラー表示が可能な表示装置を用いてもよい。また、映像や画像の表示信号のフォーマットとしては、例えば、カラーテレビジョン方式のフォーマットであるＮＴＳＣ方式、ＰＡＬ方式、ＳＥＣＡＭ方式等があり、どのような方式を用いてもよいが、本実施の形態ではＮＴＳＣ方式を用いた場合について説明する。
【００５３】
図１は、本実施の形態に係る液晶表示装置（カラー表示装置）１０の概略構成を示すブロック図である。図１に示すように、液晶表示装置１０は、液晶表示パネル１１、入力部１２、制御部（光源制御装置、光源制御手段）１３、記憶部（記憶装置）１４を備えている。
【００５４】
液晶表示パネル１１は、映像や画像を表示するための装置であり、光源としてのバックライト（光源）１５を備えている。また、液晶表示パネル１１は、液晶層をスイッチングするための多数のＴＦＴ（薄膜トランジスタ）を有する液晶表示素子（図示せず）や、上記各ＴＦＴのソース電極に対して表示信号を印加するためのソースドライバ（図示せず）や、上記各ＴＦＴのゲート電極に対してゲート電圧（走査信号）を印加するためのゲートドライバ（図示せず）等を備えている。
【００５５】
上記液晶表示パネル１１は、制御部１３の制御によって映像や画像を表示するようになっている。すなわち、液晶パネル１１は制御部１３から入力した表示信号や走査信号に基づいて、所定の映像や画像を表示するようになっている。
【００５６】
入力部１２は、外部から所定の信号を入力するためのものである。所定の信号とは、例えば、液晶表示パネル１１にて表示する映像や画像の色温度の設定変更に関する信号が挙げられる。
【００５７】
また、入力部１２は、例えば、入力のためのボタンを有する液晶モニター等から構成することができる。すなわち、この場合、例えば、液晶モニターに表示されたメニュー等を見ながら、ユーザがボタンを押して所望の色温度となるように設定を変更することができる。なお、色温度の設定が変更された場合には、設定変更に関する信号（選択信号）が制御部１３に送られる。
【００５８】
記憶部１４には、種々の色温度に対応付けられた色温度データ（色温度情報）及び輝度データ（輝度補正値）に関するルックアップテーブル（ＬＵＴ）が予め記憶されている。ここで、色温度データとは、液晶表示パネル１１から対応する色温度の光を照射するために必要なＲＧＢに関するデータである。具体的には、複数の色成分の組み合わせからなっており、基準とするＲＧＢの各値を補正するための係数を示すデータである。また、輝度データとは、バックライト１５から対応する輝度の光を照射するために必要なデータである。具体的には、基準とする輝度を示す値を補正するための係数を示すデータである。
【００５９】
これら色温度データ及び輝度データは、各色温度毎に対応付けられたデータである。これら、ＬＵＴや色温度データ・輝度データの詳細については後述する。
【００６０】
制御部１３は、液晶表示装置１０全体の制御を行うものであり、例えば、液晶表示パネル１１に対して、所定の色温度や輝度で所定の映像や画像を表示させる制御を行うものである。この制御部１３は、データ取得部（取得手段）１６、表示制御部（色温度変化手段）１７、輝度制御部（輝度調整手段）１８を備えている。
【００６１】
データ取得部１６は、必要に応じて色温度データや輝度データを取得するものである。データ取得部１６は、入力部１２から色温度の選択信号を受け取ると、記憶部１４に格納されたＬＵＴを参照し、選択信号に対応する変更後の色温度データ及び輝度データを入手する。そして、データ取得部１６は、入手した色温度データを表示制御部１７に出力し、輝度データを輝度制御部１８に出力するようになっている。
【００６２】
なお、本発明の液晶表示装置１０では、制御部１３が、色温度データを表示制御部１７に出力するのみならず、表示する映像や画像に関する表示データを表示制御部１７に出力する構成であってもよく、制御部１３以外の他の手段が、表示制御部１７に表示データを出力する構成であってもよい。
【００６３】
表示制御部１７は、入力した色温度データに基づいて、液晶表示パネル１１が表示する色温度を変更する制御を行う。これにより、液晶表示パネル１１からは所定の色温度に変更された映像や画像が表示されることなる。なお、色温度データに基づいて色温度を変更する方法の詳細については後述する。
【００６４】
また、輝度制御部１８は、入力した輝度データに基づいてバックライト１５の制御を行うものである。輝度制御部１８がバックライト１５を制御することにより、バックライト１５から出射される光の輝度が調整され、バックライト１５からは所定の輝度の光が照射される。なお、輝度データに基づいてバックライト１５を制御する方法の詳細については後述する。
【００６５】
次に、ＬＵＴについて図２に基づいて具体的に説明する。図２は、本実施の形態に係るＬＵＴを示す図である。ＬＵＴは、各色温度を識別する設定と、各色温度に対応付けられた色温度データ及び輝度データとを格納したテーブルである。このように、本実施の形態に係るＬＵＴは、輝度データを予め計算によって算出しておき、色温度データと共に格納したものである。なお、図２では、説明の便宜上、３種類の色温度に関するデータについてのみ記載しているが、その数は適宜設定すればよくこのＬＵＴに限定されるものではない。
【００６６】
図２に示すように、設定Ａ、設定Ｂ、設定Ｃ…に対して、データ（αａ、βａ、γａ、θａ）、（αｂ、βｂ、γｂ、θｂ）、（αｃ、βｃ、γｃ、θｃ）…が各々対応付けられている。
【００６７】
設定Ａ、設定Ｂ、設定Ｃ…は、色温度を識別するための識別データである。ＬＵＴでは、各設定と色温度データ及び輝度データとが対応付けられている。例えば、（αａ、βａ、γａ、θａ）を例に挙げて説明すると、αａ、βａ及びγａは、設定Ａに対応する色温度データであり、表示する色温度（Ｒ、Ｇ、Ｂ）を補正するための係数である。
【００６８】
ここで、上記色温度データは、色温度毎（設定毎）に予め決められた係数である。すなわち、色温度データは、各色温度毎に一意的に決められた係数である。この色温度データは、白色表示時の色温度を基準として決められている。例えば、６５００Ｋの白色表示時の色温度を（Ｒ，Ｇ，Ｂ）とし、ａ色表示時の色温度を（Ｒ’，Ｇ’，Ｂ’）とすると、Ｒ’＝αａＲ、Ｇ’＝βａＧ、Ｂ’＝γａＢの関係となるように係数が決められている。すなわち、本実施の形態におけるａ色表示時の色温度データは（αａ、βａ、γａ）となる。なお、Ｒ：Ｇ：Ｂ＝１：１：１である。
【００６９】
一般に、任意の色は三原色すなわちＲ（赤）、Ｇ（緑）、Ｂ（青）の混合によって表現できる。よって、三色の色成分の足し合わせ比率を各色毎に設定することにより、各色成分を補正することができ、各色温度を表現することができる。
【００７０】
また、θａは、設定Ａに対応する輝度データであり、表示する色温度に対応した輝度となるように補正するための係数である。すなわち、輝度データも色温度毎（設定毎）に予め決められた係数であり、色温度毎に一意的に決められた係数である。この輝度データは、例えば以下のようにして算出される。
【００７１】
ＬＵＴに予め格納されている輝度データの算出方法について説明する。一般に、ＮＴＳＣ方式では、ＲＧＢと輝度Ｙとの関係は以下の式（３）
Ｙ＝０．２９８９×Ｒ＋０．５８６６×Ｇ＋０．１１４５×Ｂ    ……（３）
によって求めることができる。すなわち、例えば６５００Ｋの白色表示時（Ｒ：Ｇ：Ｂ＝１：１：１）に用いられているＲＧＢに対応する輝度Ｙが上記式（３）から求めることができる。
【００７２】
一方、変更後の色温度（選択した設定に対応する色温度）に対応したバックライト１５から出射される光の好ましい輝度Ｙ’は、以下の式（４）
Ｙ’＝０．２９８９×Ｒ’＋０．５８６６×Ｇ’＋０．１１４５×Ｂ’    ……（４）
によって求めることができる。
【００７３】
従って、白色表示時に用いられているＲＧＢの値から白色表示時のバックライト１５の輝度Ｙが求められ、変更後のＲ’Ｇ’Ｂ’の値から変更後の色温度に対応したバックライト１５の好ましい輝度Ｙ’を求めることができる。
【００７４】
また、色温度を変更する場合において、白色表示時の輝度をＹ及び変更後の輝度をＹ’の関係は、輝度データをθとすると、Ｙ＝θＹ’と表すことができる。従って、θ＝Ｙ／Ｙ’となり、輝度データθを求めることができる。本実施の形態に係るＬＵＴでは、この式を用いて予めθを算出している。
【００７５】
例えば、６５００Ｋ（Ｒ＝１００、Ｇ＝１００、Ｂ＝１００）の色温度から、９３００Ｋ（Ｒ＝７２．９、Ｇ＝８４．５、Ｂ＝１００）の色温度に変更する場合について説明する。９３００Ｋの色温度で表示する際に用いられる色温度データは、上記Ｒ’＝αａＲ、Ｇ’＝βａＧ、Ｂ’＝γａＢの関係から、（０．７２９、０．８４５、０．１）となる。また、上記式（３）及び式（４）から、６５００Ｋのときの輝度Ｙ＝１００であるのに対して、９３００Ｋのときの輝度Ｙ’＝８２．８である。この場合の輝度データθは以下のようにして求めることができる。すなわち、θ＝Ｙ／Ｙ’であるため、輝度データθは、１００÷８２．８＝１．２となる。
【００７６】
従って、例えば、色温度を６５００Ｋの状態から９３００Ｋの状態へ変更する場合には、表示制御部１７が、現在表示しているＲＧＢの値に所定の色温度データ（０．７２９、０．８４５、０．１）を乗算する（重み付けする）。すなわち、表示制御部１７が所定の色温度にて表示するように液晶表示パネル１１を制御する。また、輝度制御部１８が、変更後の色温度に対応する輝度を示す値に、輝度データであるθ＝１．２を乗算する（重み付けする）。すなわち、輝度制御部１８は、輝度データを引数として用いて輝度を調整し、バックライト１５を制御して色温度変更後にバックライト１５から出射される光の輝度を１．２倍にする。これにより、バックライト１５の輝度を調整して、色温度変換前後における輝度差を最小にすることができ、色温度の変更に伴う輝度低下を改善することができる。
【００７７】
なお、本実施の形態では、６５００Ｋの色温度から９３００Ｋの色温度に変更する場合について説明しているが、他の色温度からさらに別の色温度へ変換する場合であっても同様にして行うことができる。
【００７８】
次に、液晶表示装置１０が映像や画像を表示している際に、色温度及び輝度を変化させる方法について図３に基づいて説明する。図３は、色温度及び輝度を変化させる工程を示すフローチャートである。
【００７９】
まず、制御部１３は、データ取得部１６に入力部１２から色温度を変更する旨の選択信号が入力されたか否かを判定する（Ｓ１１）。なお、この色温度を変更する旨の選択は、例えば、ユーザの操作によって行うことができる。制御部１３は、データ取得部１６に選択信号が入力されていないと判定した場合（Ｓ１１にてＮＯの場合）には、再度データ取得部１６に選択信号が入力されているか否かの判定を行う。一方、制御部１３は、データ取得部１６に選択信号が入力されたと判定した場合（Ｓ１１にてＹＥＳの場合）には、どの色温度が選択されたかをさらに判定する（Ｓ１２）。
【００８０】
次に、データ取得部１６は、選択された色温度に対応する色温度データ及び輝度データをＬＵＴから入手する（Ｓ１３）。データ取得部１６は、入手した色温度データを表示制御部１７に出力し、輝度データを輝度制御部１８に出力する（Ｓ１４）。
【００８１】
表示制御部１７は、入力した色温度データを、現在表示されているＲＧＢに乗算（重み付け）し、ＲＧＢのデータを変換する（Ｓ１５）。すなわち、現在表示されているＲＧＢをリアルタイムで入力し、このＲＧＢに対して色温度データを乗算する。そして、表示制御部１７は、乗算後のＲＧＢのデータ（すなわちＲ’Ｇ’Ｂ’）に基づいて映像や画像を表示するように液晶表示パネル１１を制御する（Ｓ１６）。
【００８２】
一方、輝度制御部１８は、入力した輝度データを、現在の輝度を示す値に乗算（重み付け）し、バックライト１５から出射される光の輝度を表す値を変換する（Ｓ１７）。そして、輝度制御部１８は、乗算後の輝度に基づいた光を照射するようにバックライト１５を制御する（Ｓ１８）。
【００８３】
これにより、液晶表示パネル１１での表示色を所定の色温度に変更すると共に、その色温度に対応した輝度となるようにバックライト１５から出射される光の輝度を調節することができる。
【００８４】
次に、上記バックライト１５を制御して光の輝度を調整する（調光）方法について具体的に説明する。バックライトの輝度を調整する方法としては、例えば、ＤＵＴＹ駆動方式や電流駆動方式が挙げられる。本発明では、いずれの駆動方式であっても採用することが可能である。
【００８５】
電流駆動方式は、バックライト１５に流れる電流量を変化させることによって輝度を調整する方式である。バックライト１５に流れる電流量が増えれば増えるほど、バックライト１５から照射される光の輝度は高くなる。従って、この電流量を変化させることにより、輝度を調整することが可能になる。なお、電流量に対して得られる輝度は使用するバックライト１５によって異なるため、バックライト１５に応じた電流量となるように適宜設定すればよい。従って、本発明の場合には、変更後の輝度となるようにバックライト１５に流れる電流を変化させることによって所望の輝度とすることが可能になる。
【００８６】
一方、ＤＵＴＹ駆動方式は、ある周期に対してバックライト１５のＯＮ期間及びＯＦＦ期間の割合を変化させることによって輝度を調整する方式である。すなわち、ある期間を１周期とし、その期間の中でバックライト１５の点灯期間を変化させたパルス点灯とすることにより、点灯する期間に応じて輝度を変化させることが可能になる。
【００８７】
図４は、ＤＵＴＹ駆動方式を用いた場合における、バックライト１５のＯＮ期間及びＯＦＦ期間を示すタイミングチャートである。図４に示すように、１周期をｔ１とすると、ｔ１は、ＯＮ期間ｔ２とＯＦＦ期間ｔ３とからなっており、このｔ２及びｔ３の割合を変化させることによってバックライト１５から照射される光の輝度を変化させることが可能になる。
【００８８】
従って、１周期の期間ｔ１内でバックライト１５のＯＮ期間ｔ２の割合が増えれば増えるほどバックライト１５から出射される光の輝度は高くなる。この割合に対して得られる輝度は使用するバックライト１５によって異なるため、バックライト１５に応じた割合となるように適宜設定すればよい。従って、本発明の場合には、変更後の輝度となるようにバックライト１５のＯＮ期間ｔ２を変化させることによって所望の輝度とすることが可能になる。
【００８９】
なお、用いるバックライト１５の特性に応じて輝度が変化する場合には、バックライト１５の特性に対応する係数若しくはテーブルを用いて輝度を調整してもよい。すなわち、輝度データθは、基本的にはＹ／Ｙ’より算出されるものであるが、これらバックライト１５の特性に応じて、さらにθを補正することもできる。この場合、輝度調整の精度をより高めることができる。
【００９０】
例えば、ＤＵＴＹ駆動方式において、バックライト１５のＯＮ期間が１周期である場合（ＯＮ期間が１００％である場合）に、バックライト１５から照射される光の輝度が１００％であり、また、ＯＮ期間が５０％である場合にバックライト１５から照射される光の輝度が５０％である、といった場合のようにバックライト１５のＯＮ期間とバックライト１５からの出力（輝度）との関係が１：１である場合にはバックライト１５の特性に応じた補正を行う必要はない。
【００９１】
これに対して、バックライト１５のＯＮ期間とバックライト１５からの出力（輝度）との関係が１：１でない場合には、バックライト１５の特性に応じた補正を行うことにより輝度調整の精度を高めることが可能になる。
【００９２】
この場合の補正とは、例えば、数式や補正用テーブルを用いて補正用係数を算出することにより輝度データの値を補正する例を挙げることができる。補正用係数の算出方法としては、例えば、バックライト１５のＯＮ期間とバックライト１５からの出力との関係が比例関係にある場合には、数式にて補正用係数を算出することができる。一方、バックライト１５のＯＮ期間とバックライト１５からの出力との関係が比例関係にない場合には、補正用テーブルを用いて補正用係数を算出すればよい。
【００９３】
ここで、補正用テーブルとは、バックライト１５の特性を示すテーブルである。図５に補正用テーブルを示す。この補正用テーブルは、バックライト１５のＯＮ期間とバックライト１５からの輝度（出力）との関係を示している。図５では、バックライト１５のＯＮ期間が８０％である場合には、バックライト１５からの出力は７０％となっており、バックライト１５のＯＮ期間が５０％である場合には、バックライト１５からの出力は６０％となっている。従って、これらＯＮ期間と出力との関係は、１：１の関係ではなく、比例関係でもない。
【００９４】
従って、この場合には、バックライト１５の輝度を調整する際に補正用テーブルから補正用係数を算出する。例えば、表示する色温度が変化することにより輝度が７０％に変化する場合には、輝度を一定に調整するためにＹ／Ｙ’＝１００／７０＝１．４３を用いて調整する。しかしながら、輝度を一定に保つためには、実際にはＯＮ期間を８０％とすることが必要であるため、上記Ｙ／Ｙ’に（８０÷７０＝１．１４）を乗算し、この値を輝度データθとする。この補正用係数をＹ／Ｙ’に乗算して輝度データθとすることによって、より精度の高い輝度調整を行うことが可能になる。この補正用係数は、（バックライトのＯＮ期間）÷（バックライトからの出力）にて表される係数である。
【００９５】
なお、上記ＯＮ期間は最大が１周期（１００％）となるため、ＯＮ期間が１周期を超えることはない。ただし、Ｙ／Ｙ’の最大となる設定値に対応するＯＮ期間が１周期となるように予め設定しておくことが好ましい。
【００９６】
また、本発明では、上記のように輝度データθ算出時にバックライト特性を考慮し、補正用係数を乗算した後のθを輝度データとしてＬＵＴに格納する構成としているが、輝度データθの算出とは別に補正用係数を算出しておき、輝度調整時に輝度データθと補正用係数とを乗算することによって輝度調整を行ってもよい。
【００９７】
これにより、本実施の形態に係る液晶表示装置１０は、表示色の色温度を変更する際に、変更後の色温度に対応する輝度の光を照射するようにバックライト１５を制御することが可能になるため、色温度の変更に伴う輝度の低下を改善することができることとなる。
【００９８】
〔実施の形態２〕
本発明の第２の実施の形態について図６ないし図８に基づいて説明すると以下の通りである。
【００９９】
本実施の形態は、上記実施の形態１と比較して、ＬＵＴ及び制御部が異なるのみであり、他の構成については同じである。このため、本実施の形態では、主としてＬＵＴや制御部について説明する。また、実施の形態１と同一の部材には同一の符号を付し、その説明を省略する。
【０１００】
本実施の形態においても液晶表示装置を例に挙げて説明するが、これに限定されるものではなく、ＣＲＴやＰＤＰ等の他のカラー表示が可能な表示装置を用いてもよい。また、本実施の形態においてもＮＴＳＣ方式を用いて説明する。
【０１０１】
図６は、本実施の形態に係る液晶表示装置（カラー表示装置）２０の概略構成を示すブロック図である。図６に示すように、液晶表示装置２０は、液晶表示パネル１１、入力部１２、制御部（光源制御装置、光源制御手段）２３、記憶部（記憶装置）２４を備えている。
【０１０２】
記憶部２４には、種々の色温度に対応付けられた色温度データに関するルックアップテーブル（ＬＵＴ）が記憶されている。この色温度データとは、液晶表示パネルから対応する色温度の光を照射するために必要なＲＧＢに関するデータであり、具体的には、基準とするＲＧＢの各値を補正するための係数を示すデータである。
【０１０３】
制御部２３は、液晶表示装置２０全体の制御を行うものであり、例えば、液晶表示パネル１１に対して、所定の色温度や輝度で所定の映像や画像を表示させるための制御を行うものである。この制御部２４は、データ取得部（取得手段）２６、表示制御部（色温度変化手段）１７、輝度データ生成部（輝度補正値生成手段）２９、輝度制御部（輝度調整手段）２８を備えている。
【０１０４】
データ取得部２６は、必要に応じて色温度データを取得するものである。データ取得部２６は、入力部１２から色温度の選択信号を受け取ると、記憶部２４に格納されたＬＵＴを参照し、選択信号に対応する変更後の色温度データを入手する。そして、データ取得部２６は、入手した色温度データを表示制御部１７及び輝度データ生成部２９に出力するようになっている。
【０１０５】
なお、本発明の液晶表示装置２０では、制御部１３が色温度データを表示制御部１７及び輝度データ生成部２９に出力するのみならず、表示する映像や画像に関する表示データを表示制御部１７に出力する構成であってもよく、制御部１３以外の他の手段が、表示制御部１７に表示データを出力する構成であってもよい。
【０１０６】
表示制御部１７は、入力した色温度データに基づいて、液晶表示パネル１１が表示する色温度を変更する制御を行う。これにより、液晶表示パネル１１からは所定の色温度に変更された映像や画像が表示されることなる。なお、色温度データに基づいて色温度を変更する方法は上記実施の形態１と同様にして行うことができる。
【０１０７】
また、輝度データ生成部２９は、入力した色温度データに基づいてバックライト１５を制御するための輝度データを生成する。輝度データとは、バックライト１５から対応する輝度の光を照射するために必要なデータである。具体的には、表示する色温度に対応した輝度となるように補正するための係数である。この輝度データは、白色表示時の輝度データと変更後の色温度データとに基づいて生成される。輝度データ生成部２９は、生成した輝度データを輝度制御部２８に出力する。なお、輝度データ生成部２９が、輝度データを生成する方法については後述する。
【０１０８】
輝度制御部２８は、輝度データ生成部２９から入力した輝度データに基づいてバックライト１５の制御を行うものである。輝度制御部２８がバックライト１４を制御することにより、バックライト１５から出射される光の輝度が調整され、バックライト１５からは所定の輝度の光が照射される。なお、輝度データに基づいてバックライト１５を制御する方法については、上記実施の形態１と同様にして行うことができる。
【０１０９】
次に、ＬＵＴについて図７に基づいて具体的に説明する。図７は、本実施の形態に係るＬＵＴを示す図である。ＬＵＴは、各色温度を識別する設定と、各色温度に対応付けられた色温度データとを格納したテーブルである。このように、本実施の形態に係るＬＵＴには輝度データが格納されていない。すなわち、本実施の形態は、輝度データを予め算出する構成ではなく、色温度が設定された時点で対応する輝度データを算出し、この輝度データに基づいてバックライト１５を制御する構成である。なお、図７では、説明の便宜上、３種類の色温度に関するデータについてのみ記載しているが、その数は適宜設定すればよくこのＬＵＴに限定されるものではない。
【０１１０】
図７に示すように、設定Ａ、設定Ｂ、設定Ｃ…に対して、データ（αａ、βａ、γａ）、（αｂ、βｂ、γｂ）、（αｃ、βｃ、γｃ）…が各々対応付けられている。設定Ａ、設定Ｂ、設定Ｃ…は、色温度を識別するための識別データである。
【０１１１】
すなわち、ＬＵＴでは、各設定と各色温度データとが対応付けられている。例えば、（αａ、βａ、γａ）を例に挙げて説明すると、αａ、βａ及びγａは、設定Ａに対応する色温度データであり、表示する色温度（Ｒ、Ｇ、Ｂ）を補正するための係数である。
【０１１２】
色温度を変更する場合には、６５００Ｋの白色表示時の色温度を（Ｒ、Ｇ、Ｂ）とすると、変更後（ａ色表示）の色温度（Ｒ’、Ｇ’、Ｂ’）は、（αａＲ、βａＧ、γａＢ）と表すことができる。すなわち、Ｒ’＝αａＲ、Ｇ’＝βａＧ、Ｂ’＝γａＢであり、６５００Ｋの白色表示時の色温度と変更後の色温度に対応する係数とを用いることによって、変更後の色温度（Ｒ’、Ｇ’、Ｂ’）を算出することができる。なお、Ｒ：Ｇ：Ｂ＝１：１：１である。
【０１１３】
次に、輝度データ生成部２９が、色温度データに基づいて輝度データθを生成する方法について説明する。
【０１１４】
まず、実施の形態１と同様に、例えば６５００Ｋの白色表示時のＲＧＢと輝度Ｙとの関係は上記式（３）によって求めることができる。すなわち、６５００Ｋの白色表示時（Ｒ：Ｇ：Ｂ＝１：１：１）に用いられているＲＧＢに対応する輝度Ｙが上記式（３）から求めることができる。
【０１１５】
一方、変更後の色温度（選択した設定に対応する色温度）に対応したバックライト１５から出射される光の好ましい輝度Ｙ’は、上記式（４）によって求めることができる。すなわち、輝度データ生成部２９は、変更後のＲ’Ｇ’Ｂ’の値を用いて変更後の色温度に対応したバックライト１５の好ましい輝度Ｙ’を求める。
【０１１６】
さらに、θ＝Ｙ／Ｙ’であることから、輝度データ生成部２９は、上記Ｙ及びＹ’に基づいて輝度データθを算出することができる。そして、輝度データ生成部２９は、算出した輝度データθを輝度制御部２８に出力し、輝度制御部２８は、輝度データθに基づいてバックライト１５を制御する。これにより、バックライト１５から出射される輝度を調整することができる。
【０１１７】
なお、実施の形態１と同様に、６５００Ｋ（Ｒ＝１００、Ｇ＝１００、Ｂ＝１００）の色温度から、９３００Ｋ（Ｒ＝７２．９、Ｇ＝８４．５、Ｂ＝１００）の色温度に変更する場合には、輝度データθは、１００÷８２．８＝１．２となる。
【０１１８】
従って、輝度データ生成部２９が、輝度データθ＝１．２を算出し、輝度制御手段２８がバックライト１５を制御して輝度を１．２倍にする（変更後の色温度に対応する輝度を示す値に輝度データθ＝１．２を乗算する）ことにより、バックライト１５を制御して、バックライト１５から出射される光の輝度を調整することができ、輝度低下を改善することができる。
【０１１９】
また、本実施の形態においても、上記実施の形態１と同様に、バックライト１５の特性に応じて輝度が変化する場合には、バックライト１５の特性に対応する係数若しくはテーブルを用いて輝度を調整してもよい。この輝度調整方法についても実施の形態１と同様にして行うことができる。
【０１２０】
ここで、輝度データθの算出方法について具体的に説明する。設定可能な色温度が３種類（設定Ａ、設定Ｂ、設定Ｃ）あり、設定Ａの（αａ、βａ、γａ）が（１，１，１）、設定Ｂの（αｂ、βｂ、γｂ）が（１，０．９，０．８）、設定Ｃの（αｃ、βｃ、γｃ）が（１，０．８，０．７）である場合について説明する。
【０１２１】
まず、液晶表示装置２０が６５００Ｋの色温度で白色表示している場合におけるバックライト１５から照射される光の輝度をＹ＝１とする。ここで、色温度を設定Ａから設定Ｂに変更する場合の輝度データをθｂとすると、上記式（４）からＹ’＝１．０９となるため、θｂ＝Ｙ／Ｙ’＝０．９１７となる。また、色温度を設定Ａから設定Ｃに変更する場合の輝度データをθｃとすると、上記式（４）からＹ’＝１．１８となるため、θｃ＝Ｙ／Ｙ’＝０．８４７となる。このようにして、輝度データθを算出することができる。
【０１２２】
次に、液晶表示装置２０が映像や画像を表示している際に、色温度及び輝度を変化させる方法について図８に基づいて説明する。図８は、色温度及び輝度を変化させる工程を示すフローチャートである。
【０１２３】
まず、制御部２３は、データ取得部２６に入力部１２から色温度を変更する旨の選択信号が入力されたか否かを判定する（Ｓ２１）。なお、この色温度を変更する旨の選択は、例えば、ユーザの操作によって行うことができる。制御部２３は、データ取得部２６に選択信号が入力されていないと判定した場合（Ｓ２１にてＮＯの場合）には、再度データ取得部２６に選択信号が入力されているか否かの判定を行う。一方、制御部２３は、データ取得部２６に選択信号が入力されたと判定した場合（Ｓ２１にてＹＥＳの場合）には、どの色温度が選択されたかをさらに判定する（Ｓ２２）。
【０１２４】
次に、データ取得部２６は、選択された色温度に対応する色温度データをＬＵＴから入手する（Ｓ２３）。データ取得部２６は、入手した色温度データを表示制御部１７及び輝度データ生成部２９に出力する（Ｓ２４）。
【０１２５】
表示制御部１７は、入力した色温度データを、現在表示されているＲＧＢに乗算（重み付け）し、ＲＧＢのデータを変換する（Ｓ２５）。すなわち、現在表示されているＲＧＢをリアルタイムで入力し、このＲＧＢに対して色温度データを乗算する。そして、表示制御部１７は、乗算後のＲＧＢのデータ（すなわちＲ’Ｇ’Ｂ’）に基づいて映像や画像を表示するように液晶表示パネル１１を制御する（Ｓ２６）。
【０１２６】
一方、輝度データ生成部２９は、入力した色温度データに基づいて輝度データを生成し、輝度制御部２８に出力する（Ｓ２７）。そして、輝度制御部２８は、入力した輝度データを、現在の輝度を示す値に乗算（重み付け）し、バックライト１５から出射される光の輝度を表す値を変換する（Ｓ２８）。次いで、輝度制御部２８は、乗算後の輝度に基づいた光を照射するようにバックライト１５を制御する（Ｓ２９）。
【０１２７】
これにより、液晶表示パネル１１での表示色を所定の色温度に変更すると共に、その色温度に対応した輝度となるようにバックライト１５から出射される光の輝度を調節することができる。
【０１２８】
なお、バックライト１５を制御して光の輝度を調整する（調光）方法については、実施の形態１と同様に、例えば、ＤＵＴＹ駆動方式や電流駆動方式を用いて行うことができる。
【０１２９】
これにより、本実施の形態に係る液晶表示装置２０は、表示色の色温度を変更する際に、変更後の色温度に対応する輝度の光を照射するようにバックライト１５を制御することが可能になるため、色温度の変更に伴う輝度の低下を改善することができることとなる。
【０１３０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１３１】
最後に、制御部１３・２３の各ブロック、特に表示制御部１７、輝度制御部１８、輝度データ生成部２９は、ハードウェアロジックによって構成してもよいし、次のようにＣＰＵを用いてソフトウェアによって実現してもよい。
【０１３２】
すなわち、制御部１３・２３は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである制御部１３・２３の制御プログラムのプログラムコード（実行形式プログラム、中間コードプログラム、ソースプログラム）をコンピュータで読み取り可能に記録した記録媒体を、上記制御部１３・２３に供給し、そのコンピュータ（またはＣＰＵやＭＰＵ）が記録媒体に記録されているプログラムコードを読み出し実行することによっても、達成可能である。
【０１３３】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３４】
また、制御部１３・２３を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１３５】
以上のように、本発明の光源制御装置やカラー表示装置は、色温度の変換時に光源から出射される光の輝度を一定に保つことができるものであり、例えば、テレビやモニタ等の画像表示装置や、カーナビゲイションシステム等に備えられる画像表示装置等に広く適用することができる。従って、本発明は、単に表示装置を製造する産業分野のみならず、各種の電子・電気機器やその部品を製造する産業分野に好適に用いることができる。
【図面の簡単な説明】
【０１３６】
【図１】本発明の実施の一形態を示すものであり、液晶表示装置の概略構成を示すブロック図である。
【図２】本発明の実施の一形態を示すものであり、ＬＵＴを示す図である。
【図３】本発明の実施の一形態を示すものであり、色温度及び輝度を変化させる工程を示すフローチャートである。
【図４】本発明の実施の一形態を示すものであり、バックライトのＯＮ期間及びＯＦＦ期間を示すタイミングチャートである。
【図５】本発明の実施の一形態を示すものであり、補正用テーブルを示す図である。
【図６】本発明の他の実施の形態を示すものであり、液晶表示装置の概略構成を示すブロック図である。
【図７】本発明の他の実施の形態を示すものであり、ＬＵＴを示す図である。
【図８】本発明の他の実施の形態を示すものであり、色温度及び輝度を変化させる工程を示すフローチャートである。
【符号の説明】
【０１３７】
１０・２０    液晶表示装置（カラー表示装置）
１１    液晶表示パネル
１２    入力部
１３・２３    制御部（光源制御装置、光源制御手段）
１４・２４    記憶部（記憶装置）
１５    バックライト（光源）
１６・２６    データ取得部（取得手段）
１７    表示制御部（色温度変化手段）
１８・２８    輝度制御部（輝度調整手段）
２９    輝度データ生成部（輝度補正値生成手段）
【図１】
0004732035.tif 000003
【図２】
0004732035.tif 000004
【図３】
0004732035.tif 000005
【図４】
0004732035.tif 000006
【図５】
0004732035.tif 000007
【図６】
0004732035.tif 000008
【図７】
0004732035.tif 000009
【図８】
0004732035.tif 000010